(57)【要約】【課題】ユーザーの腕に対する衝撃による傷害を減らすことの出来る衝撃傷害防止型の入力装置を提供すること。【解決手段】入力装置の本体内に一個又は一個以上の収容スペースを設け、各収容スペースには重力緩衝ユニットを入れることが出来、且つ各重力緩衝ユニットと収容スペースの内側壁面の間に一組の弾性緩衝部材を設置する。弾性緩衝部材の一端は重力緩衝ユニットの相対する両側に連結され、他端はそれぞれ収容スペースの相対する内側壁面に設置され、弾性緩衝部材の引張力によって、重力緩衝ユニットが収容スペースの中に浮くようにする。【選択図】図１Ａ
2007304877.tif 000002
【特許請求の範囲】
【請求項１】
一個又は一個以上の収容スペースを設け、前記各収容スペースの間には少なくとも一個の重力緩衝ユニットを入れることの出来る入力装置本体と、
一個又は一個以上の重力緩衝ユニットと、
前記重力緩衝ユニットと収容スペース内側壁面の間に設置した一組又は一組以上の弾性緩衝部材と、を含むことを特徴とする、
衝撃傷害防止型入力装置。
【請求項２】
前記重力緩衝ユニットは、少なくとも分銅・鉛錘又はその他の重力体であることを特徴とする、請求項１に記載の衝撃傷害防止型入力装置。
【請求項３】
前記重力緩衝ユニットは、分銅・鉛錘又はその他の重力体をいれることの出来る殻体であることを特徴とする、請求項１に記載の衝撃傷害防止型入力装置。
【請求項４】
前記収容スペースは、入力装置本体の中に設置できることを特徴とする、請求項１に記載の衝撃傷害防止型入力装置。
【請求項５】
前記収容スペースは、入力装置本体の外縁に開設した保護カバーを有する凹溝であることを特徴とする、請求項１に記載の衝撃傷害防止型入力装置。
【請求項６】
前記弾性緩衝部材は、ゴムであることを特徴とする、請求項１に記載の衝撃傷害防止型入力装置。
【請求項７】
前記弾性緩衝部材は、綿であることを特徴とする、請求項１に記載の衝撃傷害防止型入力装置。
【請求項８】
前記弾性緩衝部材は、スポンジであることを特徴とする、請求項１に記載の衝撃傷害防止型入力装置。
【請求項９】
前記弾性緩衝部材は、熱可塑性弾性体であることを特徴とする、請求項１に記載の衝撃傷害防止型入力装置。
【請求項１０】
前記熱可塑性弾性体は、ポリウレタン弾性体・共重合型ポリウレタン弾性体・スチレン系弾性体又はアルケン系弾性体であることを特徴とする、請求項９に記載の衝撃傷害防止型入力装置。
【請求項１１】
前記弾性緩衝ユニットは、スプリングであることを特徴とする、請求項１に記載の衝撃傷害防止型入力装置。
【請求項１２】
前記スプリングは、圧縮スプリング、引き伸ばしスプリング、螺旋状スプリング、畳板式スプリング、板型スプリング、環形スプリング、渦巻き状スプリング、又は皿型スプリングであることを特徴とする、請求項１１に記載の衝撃傷害防止型入力装置。
【請求項１３】
前記重力緩衝ユニットは、相対する両側にそれぞれ一個または一個以上のスプリングを連結し、スプリングの引っ張り力によって前記重力緩衝ユニットを収容スペースの中に浮き上がらせることを特徴とする、請求項１１に記載の衝撃傷害防止型入力装置。
【請求項１４】
前記重力緩衝ユニットの任意の多角形にそれぞれスプリングを連結し、スプリングの引っ張り力によって、前記重力緩衝ユニットを収容スペースの中に浮き上がらせることを特徴とする、請求項１１に記載の衝撃傷害防止型入力装置。
【請求項１５】
前記各スプリングの相対する軸方向の角度は、互に垂直であることを特徴とする、請求項１４に記載の衝撃傷害防止型入力装置。
【請求項１６】
前記各スプリングの相対する軸方向の角度は、任意の角度であることを特徴とする、請求項１４に記載の衝撃傷害防止型入力装置。
【発明の詳細な説明】
【技術分野】
【０００１】
本発明は、衝撃傷害防止型の入力装置に関し、特にユーザーの手部の負担を減らし、操作が便利で快適な衝撃傷害防止型の入力装置に関するものである。
【背景技術】
【０００２】
ユーザーが入力装置を操作する場合、絶えず手首を動かして入力装置を操作することによって始めて入力装置を多くの方向に繰り返し動かし、ユーザーの思う方向へ入力装置を移動させることができる。
【０００３】
しかし、物理学の観点から見れば、入力装置の移動過程では、ユーザーが入力装置に力を加えることによって、一定の点から所要の位置まで移動させ、そして移動の過程においては、ユーザーが加える力および時間によって、入力装置に速度及び加速度を生じさせ、しかもその速度及び加速度は入力装置が所要の位置へ到達する時点で最大となる。
【０００４】
一方、ユーザーはこの時通常入力装置をその位置で停止させるか、又は更に次の位置へ動かす。然るに、入力装置を停止させる過程で、ユーザーは反対方向の力を加えて入力装置のこの時の惰性力を相殺して、初めて入力装置を停止させることが出来る。
しかし、所要の位置へ到達した入力装置は、まさに速度と加速度の最大瞬間にあるので、入力装置を停止させるには、ユーザーが加える反対方向の力は、入力装置のこの時の惰性力を相殺できるものでなければならない。
【０００５】
一方、この反対方向の力は、通常入力装置において生じる惰性力より大きくなければならない。
従って、惰性力と反対方向の相殺力は、ユーザーの手首にとっては、かなりの衝撃力であり、場合によっては、入力装置が所要の位置に到達しても、ユーザーが入力装置を停止させず、直ちに又元の位置へ入力装置を戻すこともある。
この場合、ユーザーの手首に生じる衝撃は一層大きい。
人体には自動修復機能が備わっており、ある期間休憩すると、この衝撃力を徐々に吸収することができるが、若し、ユーザーが仕事又は学業の必要から長時間絶えず入力装置を操作しなければならず、体の自動修復する時間がない場合、このような衝撃力が絶えず累積されると、ユーザーの手部の負担となりやすく、腕に傷害が生じ易い。
【発明の開示】
【発明が解決しようとする課題】
【０００６】
本発明の目的は入力装置が移動するときに生じる惰性力を小さくすることによって、ユーザーが入力装置を停止させる時に生じる反対方向の力を減少し、更に惰性力と反対方向の力が相殺する時に生じる衝撃を弱め、ユーザーの腕に対する衝撃による傷害を減らすことの出来る衝撃傷害防止型の入力装置を提供することにある。
【課題を解決するための手段】
【０００７】
本発明は、入力装置が定点から所要の位置まで移動する際、所要の位置へ到達した時が速度及び加速度の最大瞬間であり、且つ入力装置の重量が重いほど、生じる惰性力も大きく、一方、大部分の入力装置はその構造や部品を減らして重量をヘらして惰性力を下げることが出来ない状況に鑑み、入力装置の上に緩衝構造を装着して入力装置に生じる惰性力を吸収し、ユーザーが入力装置を停止する時生じる反対方向の力を減少させ、更に惰性力と反対方向の力が相殺する時の衝撃を抑えることによって、ユーザーの腕に対する衝撃傷害を減らすようにした。
【０００８】
すなわち本願の第１発明は、一個又は一個以上の収容スペースを設け、前記各収容スペースの間には少なくとも一個の重力緩衝ユニットを入れることの出来る入力装置本体と、一個又は一個以上の重力緩衝ユニットと、前記重力緩衝ユニットと収容スペース内側壁面の間に設置した一組又は一組以上の弾性緩衝部材と、を含むことを特徴とする、衝撃傷害防止型入力装置を提供する。
本願の第２発明は、前記重力緩衝ユニットは、少なくとも分銅・鉛錘又はその他の重力体であることを特徴とする、前記第１発明に記載の衝撃傷害防止型入力装置を提供する。
本願の第３発明は、前記重力緩衝ユニットは、分銅・鉛錘又はその他の重力体をいれることの出来る殻体であることを特徴とする、前記第１発明に記載の衝撃傷害防止型入力装置を提供する。
本願の第４発明は、前記収容スペースは、入力装置本体の中に設置できることを特徴とする、前記第１発明に記載の衝撃傷害防止型入力装置を提供する。
本願の第５発明は、前記収容スペースは、入力装置本体の外縁に開設した保護カバーを有する凹溝であることを特徴とする、前記第１発明に記載の衝撃傷害防止型入力装置を提供する。
本願の第６発明は、前記弾性緩衝部材は、ゴムであることを特徴とする、前記第１発明に記載の衝撃傷害防止型入力装置を提供する。
本願の第７発明は、前記弾性緩衝部材は、綿であることを特徴とする、前記第１発明に記載の衝撃傷害防止型入力装置を提供する。
本願の第８発明は、前記弾性緩衝部材は、スポンジであることを特徴とする、前記第１発明に記載の衝撃傷害防止型入力装置を提供する。
本願の第９発明は、前記弾性緩衝部材は、熱可塑性弾性体であることを特徴とする、前記第１発明に記載の衝撃傷害防止型入力装置を提供する。
本願の第１０発明は、前記熱可塑性弾性体は、ポリウレタン弾性体・共重合型ポリウレタン弾性体・スチレン系弾性体又はアルケン系弾性体であることを特徴とする、前記第９発明に記載の衝撃傷害防止型入力装置を提供する。
本願の第１１発明は、前記弾性緩衝ユニットは、スプリングであってよいことを特徴とする、前記第１発明に記載の衝撃傷害防止型入力装置を提供する。
本願の第１２発明は、前記スプリングは、圧縮スプリング・引き伸ばしスプリング・螺旋状スプリング・畳板式スプリング・板型スプリング・環形スプリング・渦巻き状スプリング又は皿型スプリングであることを特徴とする、前記第１１発明に記載の衝撃傷害防止型入力装置を提供する。
本願の第１３発明は、前記重力緩衝ユニットは、相対する両側にそれぞれ一個または一個以上のスプリングを連結し、スプリングの引っ張り力によって前記重力緩衝ユニットを収容スペースの中に浮き上がらせることを特徴とする、前記第１１発明に記載の衝撃傷害防止型入力装置を提供する。
本願の第１４発明は、前記重力緩衝ユニットの任意の多角形にそれぞれスプリングを連結し、スプリングの引っ張り力によって、前記重力緩衝ユニットを収容スペースの中に浮き上がらせることを特徴とする、前記第１１発明に記載の衝撃傷害防止型入力装置を提供する。
本願の第１５発明は、前記各スプリングの相対する軸方向は、互に垂直であることを特徴とする、前記第１４発明に記載の衝撃傷害防止型入力装置を提供する。
本願の第１６発明は、前記各スプリングの相対する軸方向は、任意の角度であってよいことを特徴とする、前記第１４発明に記載の衝撃傷害防止型入力装置を提供する。
【発明の効果】
【０００９】
本発明では、入力装置の上に緩衝構造を装着して、入力装置において生じる惰性力を吸収し、ユーザーが入力装置を停止させるときに生じる反対方向の力を減少させ、さらに惰性力と反対方向の力が相殺する時に生じる衝撃を弱めることによって、ユーザーの手首に対する衝撃傷害を軽減できる。
【発明を実施するための最良の形態】
【００１０】
以下、図面を参照しながら発明を実施するための最良の形態について説明する。
【実施例】
【００１１】
図１Ａ及び図１Ｂは、本発明に係る衝撃傷害防止型入力装置である。
入力装置本体１の中には一個又は一個以上の収容スペース１１を設ける。
各収容スペース１１には、何れも一個又は一個以上の重力緩衝ユニット２を入れることが出来、且つ各重力緩衝ユニット２及び収容スペース１１の内側壁面の間に一組の弾性緩衝部材３を設置してある。
前記重力緩衝ユニット２は分銅・鉛錘又はその他の重力体であって良い。
【００１２】
前記弾性緩衝部材３は、二本一組のスプリング３１である。前記スプリング３１は、圧縮スプリング・引き伸ばしスプリング・螺旋状スプリング・畳板式スプリング・板型スプリング・環形スプリング・渦巻き状スプリング又は皿型スプリングであって良い。
【００１３】
各スプリング３１の一端は、重力緩衝ユニット２の相対する両側に連結され、そして各スプリング３１の別の一端はそれぞれ収容スペース１１の相対する内側壁面に設置され、スプリング３１の引っ張り力によって、前記重力緩衝ユニット２を収容スペース１１の中に浮き上がらせてあることを示す。
【００１４】
ユーザーが本発明に係る衝撃傷害防止型入力装置を移動させると、前記重力緩衝ユニット２は、スプリング３１の引っ張り力によって収容スペース１１の中に浮き上がる。
したがって、入力装置本体１が移動すると、前記重力緩衝ユニット２はそれ自体の重力の影響で、入力装置本体１に同調して移動するようなことはなく、遅滞情況が生じる。
【００１５】
この時、入力装置本体１の移動時に生じる速度及び加速度の惰性力は、スプリング３１の伝導によって、重力緩衝ユニット２において一部分を相殺する。
そして、入力装置本体１が所要の位置へ移動した後、前記重力緩衝ユニット２は遅滞情況のために遅れて所要の位置へ到達する。
【００１６】
この時、前記重力緩衝ユニット２が移動する時に生じる速度及び加速度の惰性力は、スプリング３１によって吸収される。
したがって、入力装置本体１が移動するとき生じる惰性力は、前記重力緩衝ユニット２及びスプリング３１の吸収によって減少し、ユーザーが入力装置本体１を停止させるときに必要な反対方向の力を弱め、更に惰性力と反対方向の力が相殺する時に生じる衝撃を弱め、ユーザーの腕に対する衝撃傷害を緩衝軽減することが出来る。
【００１７】
図２を参照する。本発明に係る衝撃傷害防止型入力装置において、前記重力緩衝ユニット２は、分銅・鉛錘又はその他の重力体を入れる殻体２１であっても良く、ユーザーは必要に応じて重力緩衝ユニット２の重量を調整することが出来る。
【００１８】
図３を参照する。本発明に係る衝撃傷害防止型入力装置において、前記収容スペース１１は入力装置本体１の外縁に保護カバー１３を開設した凹溝１２であっても良いことを示す。
【００１９】
図１Ａ及び図４を参照する。本発明に係る衝撃傷害防止型入力装置において、前記緩衝ユニット２は、同時に一組又は一組以上のスプリング３１によって支えられ、且つ各スプリング３１の間の軸方向は互に平行・垂直又は任意の角度（図５及び図６参照）を呈し、入力装置本体１が各方向へ移動できるようにしても良い。
又、前記弾性緩衝ユニット３は、ゴム・綿・スポンジ又はポリウレタン弾性体・共重合型ポリウレタン弾性体・スチレン系弾性体・アルケン系弾性体等の熱可塑性弾性体３２（図７参照）であっても良い。
上記詳細な説明は、本発明の実施可能な例に対する具体的説明である、但し、本発明の特許請求範囲を制限するものではなく、凡そ本発明の技芸精神を逸脱せずになされる等価実施又は変更は、全て本特許請求の範囲に含まれるものとする。
【図面の簡単な説明】
【００２０】
【図１Ａ】本発明に係る衝撃傷害防止型入力装置（マウス）の斜視断面図である。
【図１Ｂ】本発明に係る衝撃傷害防止型入力装置の第一実施例の斜視断面図である。
【図２】本発明に係る衝撃傷害防止型入力装置の第二実施例の斜視断面図である。
【図３】本発明に係る衝撃傷害防止型入力装置の第三実施例の斜視断面図である。
【図４】本発明に係る衝撃傷害防止型入力装置の第四実施例の斜視断面図である。
【図５】本発明に係る衝撃傷害防止型入力装置の第五実施例の斜視断面図である。
【図６】本発明に係る衝撃傷害防止型入力装置の第六実施例の底面斜視断面図である。
【図７】本発明に係る衝撃傷害防止型入力装置の第七実施例の底面斜視断面図である。
【符号の説明】
【００２１】
１・・・・・・入力装置本体
１１・・・・・収容スペース
１２・・・・・凹溝
１３・・・・・保護カバー
２・・・・・・重力緩衝ユニット
２１・・・・・殻体
３・・・・・・弾性緩衝部材
３１・・・・・スプリング
３２・・・・・熱可塑性弾性体
【図１Ａ】
2007304877.tif 000003
【図１Ｂ】
2007304877.tif 000004
【図２】
2007304877.tif 000005
【図３】
2007304877.tif 000006
【図４】
2007304877.tif 000007
【図５】
2007304877.tif 000008
【図６】
2007304877.tif 000009
【図７】
2007304877.tif 000010